(57)【要約】【課題】二次電池の正確な寿命を把握することのできる画像形成装置を提供することを目的とする。【解決手段】二次電池による画像メモリへの電力供給が行われている間に、画像メモリに蓄積されている画像データの保持状態を検出し、画像データが消去されたと検出されたときに、フラグを立てる。そして、ＰＳＵによる電力供給が再開されたときに、出力セルがＨｉｇｈである場合は、未消去時のカウント数格納エリアをカウントアップし、出力セルがＬｏｗである場合は、フラグが立っているか否かをさらに確認し、フラグが立っている場合は消去時のカウント数格納エリアをカウントアップする。そして、未消去時のカウント数格納エリアにカウントされている回数と、消去時のカウント数格納エリアにカウントされている回数をｎ倍した値と、を足した値が閾値に達している場合に、二次電池の交換メッセージを通知する。【選択図】        図３
2007320259.tif 000002
【特許請求の範囲】
【請求項１】
データを蓄積するためのメモリに電力を供給するための補助電源と、
前記メモリに蓄積されているデータの保持状態を検出するデータ保持検出手段と、
前記データ保持検出手段で、前記データが保持されていたと検出された場合と、前記データが消去されたと検出された場合とで別々に前記補助電源の放電回数をカウントする放電回数カウント手段と、
前記放電回数カウント手段で、前記データが保持されていたと検出された場合にカウントした回数、および前記データが消去されたと検出された場合にカウントした回数に基づいて、前記補助電源の残存寿命の度合いを検出する放電レベル検出手段と、
を備えたことを特徴とする画像形成装置。
【請求項２】
前記放電レベル検出手段は、前記データが保持されていたと検出された場合にカウントした回数と、前記データが消去されたと検出された場合にカウントした回数をｎ倍（ｎ＞１）した値とを積算して求めた放電回数の合計数、および予め定めた前記放電回数の合計数の閾値に基づいて、前記補助電源の放電レベルを検出することを特徴とする請求項１に記載の画像形成装置。
【請求項３】
前記補助電源の電圧レベルを検出する電圧レベル検出手段をさらに備え、
前記データ保持検出手段は、前記電圧レベル検出手段により検出された前記補助電源の電圧レベルに基づいて、前記メモリに蓄積されているデータの保持状態を検出すること
を特徴とする請求項１または２に記載の画像形成装置。
【請求項４】
主電源による電力の供給が遮断された場合に、前記メモリに前記データが蓄積されているか否かを検出するデータ蓄積検出手段と、
前記データ蓄積検出手段により前記メモリに前記データが蓄積されていることが検出された場合に、前記主電源による前記メモリへの電力の供給から、前記補助電源による前記メモリへの電力の供給に切り替える電力供給切替手段をさらに備え、
前記データ保持検出手段は、前記電力供給切替手段により前記補助電源による前記メモリへの電力の供給に切り替えられ、前記補助電源による前記メモリへの電力の供給がされている間に、前記メモリに蓄積されているデータの保持状態を検出すること
を特徴とする請求項１から３のいずれか一つに記載の画像形成装置。
【請求項５】
前記放電レベル検出手段により求めた放電回数の合計数が前記閾値に達した場合に、前記補助電源の交換を要する旨を通知する交換通知手段をさらに備えたことを特徴とする請求項２から４のいずれか一つに記載の画像形成装置。
【請求項６】
前記補助電源は、二次電池であることを特徴とする請求項１から５のいずれか一つに記載の画像形成装置。
【発明の詳細な説明】
【技術分野】
【０００１】
本発明は、画像形成装置に関し、特に、主電源による各部への電力供給が遮断されている間に画像メモリへの電力供給をする二次電池の放電レベルを検出する画像形成装置に関するものである。
【背景技術】
【０００２】
画像形成装置は、主電源による電力供給が遮断されている間においても画像データを保存しておかなければならないケースがある。例えば、装置に記録紙がセットされていない状態で画像データを受信した後に、主電源がオフとなった場合、メモリ送信実行後に、相手先の通話中を理由とする再発呼待機状態で主電源がオフとなった場合、などである。これらの主電源がオフとなっている場合であっても、画像データが消去しないように、画像データを保存している画像メモリに、ニッケル水素電池やリチウムイオン電池などの充電が可能な二次電池によって電力を供給することで、画像データを保存しておくことが可能となる。二次電池の充電は、主電源から画像形成装置を構成する各部に電力が供給されている間に行われる。
【０００３】
二次電池は、充電と放電を繰り返すことで経年劣化し、最終的には充電ができなくなる。しかし、利用者は、二次電池の寿命がどの程度であるかを把握できないため、二次電池の適切な交換時期を把握することができない。そして、二次電池による画像メモリへの電力供給中に、二次電池の寿命が到来し、重要な画像データが画像メモリから消去されてしまう可能性がある。
【０００４】
そこで、二次電池の充放電回数をカウントすることにより、二次電池の寿命を把握し、把握した寿命を利用者に通知する技術が開発されている。
【０００５】
その一例として、画像メモリに画像データが蓄積されているか否かを判断し、画像データが画像メモリに蓄積されていない場合には、画像メモリと二次電池を接続する切替スイッチを開放すると共に、ＥＥＰＲＯＭのフラグをリセットする。一方、画像データが画像メモリに蓄積されている場合には、切替スイッチを導通すると共に、ＥＥＰＲＯＭのフラグを１にセットする。そして、ＥＥＰＲＯＭのフラグの値が１となった回数から二次電池の放電・充電回数を把握できるものがある（特許文献１）。
【０００６】
なお、主電源の遮断時間が短かった場合は、つまり画像メモリのデータが消去されないうちに主電源が再投入された場合は、二次電池の消費は少なかったといえる。一方、主電源の遮断時間が長かった場合は、二次電池は次第に出力電圧が低下していき、最終的には画像メモリに十分な電力供給ができなくなり、画像データが消去される。即ち、主電源の遮断時間が長かった場合は、二次電池の消費が多かったといえる。
【０００７】
しかしながら、従来技術では、二次電池の画像メモリへの電力供給が行われている時間を考慮に入れた二次電池の放電レベルを検出していなかったため、二次電池の正確な寿命を把握できないという問題があった。
【０００８】
【特許文献１】特開２０００−３４９９５３号公報
【発明の開示】
【発明が解決しようとする課題】
【０００９】
本発明は、上記に鑑みてなされたものであって、メモリへの電力供給を行う補助電源の正確な寿命を把握することを目的とする。
【課題を解決するための手段】
【００１０】
上述した課題を解決し、目的を達成するために、データを蓄積するためのメモリに電力を供給するための補助電源と、前記メモリに蓄積されているデータの保持状態を検出するデータ保持検出手段と、前記データ保持検出手段で、前記データが保持されていたと検出された場合と、前記データが消去されたと検出された場合とで別々に前記補助電源の放電回数をカウントする放電回数カウント手段と、前記放電回数カウント手段で、前記データが保持されていたと検出された場合にカウントした回数、および前記データが消去されたと検出された場合にカウントした回数に基づいて、前記補助電源の残存寿命の度合いを検出する放電レベル検出手段と、を備えたことを特徴とする。
【発明の効果】
【００１１】
本発明によれば、データが保持されていたと検出された場合にカウントした回数、およびデータが消去されたと検出された場合にカウントした回数に基づいて、補助電源の残存寿命の度合いを検出するので、補助電源の正確な寿命を把握することができるという効果を奏する。
【発明を実施するための最良の形態】
【００１２】
以下に添付図面を参照して、この発明にかかる画像形成装置の最良な実施の形態を詳細に説明する。なお、この実施の形態によりこの発明が限定されるものではない。
【００１３】
（第１の実施の形態）
図１は、本発明の第１の実施の形態にかかる画像形成装置１００の構成を示す図である。第１の実施の形態の画像形成装置１００は、同図に示すように、画像形成装置１００全体を制御する制御部２１０と、画像データを記憶するための画像メモリ２２０と、画像メモリ２２０に電力を供給するための二次電池２３０と、二次電池２３０を充電するための充電回路２４０と、画像メモリ２２０に画像データが蓄積されているか否かを検出する画像データ検出回路２５０と、制御部２１０に電力を供給するための一次電池２５０と、二次電池２３０から画像メモリ２２０への電力供給の切り替えをするための切り替えスイッチ２７０と、各種プログラムや各種データを格納するＲＯＭ３１０と、各種データの記録や設定を行うＲＡＭ３２０と、利用者への通知を表示するための出力部３３０と、画像形成装置１００全体への電力供給を行うＰＳＵ（Ｐｏｗｅｒ  Ｓｕｐｐｌｙ  Ｕｎｉｔ）３４０と、ＰＳＵ３４０をＯＮまたはＯＦＦにするための電力スイッチ３５０と、で構成される。
【００１４】
制御部２１０は、画像形成装置１００全体を制御するためのものであり、ＣＰＵ（Ｃｅｎｔｒａｌ  Ｐｒｏｃｅｓｓｉｎｇ  Ｕｎｉｔ）により実現することができる。また、制御部２１０は、制御部２１０を画像データ検出回路２５０に接続する入力セル（図示なし）と、制御部２１０を一次電池２６０に接続する出力セル（図示なし）と、を有している。
【００１５】
画像メモリ２２０は、外部装置からの画像データやスキャナ部（図示なし）で読み取られた画像データなどを一時的に蓄積するためのものであり、同図に示すように、切り替えスイッチ２７０を介して、二次電池２３０に接続されている。
【００１６】
二次電池２３０は、ＰＳＵ３４０から電力を切り替えて投入できる構成となっており、同図に示すように、切り替えスイッチ２７０を介して画像メモリ２２０に接続されている。二次電池２３０は、電力スイッチ３５０をＯＦＦにすることでＰＳＵ３４０から画像形成装置１００全体（特に画像メモリ２２０）への電力供給が遮断された場合に、画像メモリ２２０に電力供給をする。また、二次電池２３０は、同図に示すように、画像データ検出回路２５０に接続され、ＰＳＵ３４０から画像形成装置１００全体への電力供給が遮断された場合に、画像データ検出回路２５０にも電力供給をする。
【００１７】
充電回路２４０は、同図に示すように、二次電池２３０に接続され、ＰＳＵ３４０による画像形成装置１００全体への電力供給が行われている間に、二次電池２２０を充電するためのものである。二次電池２３０が画像メモリ２２０への電力供給のために放電した電池容量は、充電回路２４０により補充される。
【００１８】
画像データ検出回路２５０は、ＰＳＵ３４０から画像形成装置１００全体（特に画像メモリ２２０）への電力供給が遮断された場合に、制御部２１０の制御により、画像メモリ２２０に画像データが蓄積されているか否かを検出するためのものであり、二次電池２３０と制御部２１０との間に配設されている。また、画像データ検出回路２５０は、二次電池２３０から画像メモリ２２０への電力供給が行われている間、制御部２１０の制御により、画像メモリ２２０に蓄積されている画像データの保持状態を検出する。
【００１９】
一次電池２６０は、ＰＳＵ３４０から電力を切り替えて投入できる構成となっており、制御部２１０の出力セル２１０ｂに接続され、ＰＳＵ３４０から画像形成装置１００全体（特に制御部２１０）への電力供給が遮断された場合に、制御部２１０へ電力を供給する。これにより、制御部２１０の出力セルは、切り替えスイッチ２７０を制御することができる。
【００２０】
切り替えスイッチ２７０は、制御部２１０の制御により、二次電池２３０から画像メモリ２２０への電力供給を切り替える。
【００２１】
ＲＯＭ３１０は、各種プログラムや各種データを格納する。また、ＲＯＭに３１０には二次電池の種類に対応する複数の充放電回数の閾値が記録されている。
【００２２】
ＲＡＭ３２０は、各種データを書き込むためのものである。また、ＲＡＭ３２０は、充放電回数テーブル３２２（図２を参照）を有する。また、ＲＯＭ３１０に記録されている複数の充放電回数の閾値の中から当該画像形成装置１００で使用される二次電池２３０の種類に対応する閾値を設定することができる。
【００２３】
出力部３３０は、例えば、タッチパネルであり、利用者への通知を出力するためのものである。
【００２４】
ＰＳＵ３４０は、画像形成装置１００全体へ電力供給するためのものであり、電力スイッチ３５０がＯＮである場合は、電力供給を行い、電力スイッチ３５０がＯＦＦである場合は、電力供給を遮断（停止）する。
【００２５】
電力スイッチ３５０は、ＰＳＵ３４０のＯＮ／ＯＦＦを行うためのものである。
【００２６】
ここで、充放電回数テーブル３２２について、図２を参照して説明する。図２は、充放電回数テーブル３２２の一例を示す図である。充放電回数テーブル３２２は、同図に示すように、未消去時のカウント数格納エリア３２２ａと、消去時のカウント数格納エリア３２２ｂと、充放電回数格納エリア３２２ｃと、画像データ消去フラグエリア３２２ｄと、を含んでいる。
【００２７】
未消去時のカウント数格納エリア３２２ａは、二次電池２３０から画像メモリ２２０への電力供給が行われている間、画像データ検出回路２５０により、画像メモリ２２０に蓄積されている画像データが保持されたと検出された場合に、１カウントアップされる。即ち、ＰＳＵ３４０による電力の供給が再開された場合において、画像メモリ２２０に画像データが残っているときにカウントアップされる。
【００２８】
消去時のカウント数格納エリア３２２ｂは、ＰＳＵによる電力の再供給が開始された場合において、画像データ消去フラグエリア３２２ｄにフラグが立っている（ＯＮ）ときに、カウントアップされる。
【００２９】
充放電回数格納エリア３２２ｃは、未消去時のカウント数格納エリア３２２ａのカウント数と、消去時のカウント数格納エリア３２２ｂのカウント数にｎ倍（ｎ＞１）した値と、を足した数を充放電回数の合計数として記録する。画像メモリ２２０から画像データが消去された場合は、二次電池２３０の消費量が大きいと考えられるため、消去時のカウント数格納エリア３２２ｂのカウント数をｎ倍したものを足すことにしている。
【００３０】
画像データ消去フラグエリア３２２ｄは、二次電池２３０から画像メモリ２２０への電力供給が行われている間に、画像検出回路２５０により、画像メモリ２２０に蓄積されている画像データが消去されたと検出された場合に、フラグが立てられる。
【００３１】
以上の構成において、第１の実施の形態の画像形成装置１００で行われる二次電池２３０の放電レベルの検出処理について図３を参照して説明する。図３は、第１の実施の形態の画像形成装置１００で行われる二次電池２３０の放電レベルの検出処理の手順を示すフローチャートである。
【００３２】
まず、電力スイッチ３５０がＯＦＦにされることにより、ＰＳＵ３４０の画像形成装置１００全体への電力供給が遮断されると、一次電池２６０は、制御部２１０への電力供給を、二次電池２３０は、画像データ検出回路２５０への電力供給を開始する（ステップＳＡ−１）。
【００３３】
ついで、画像データ検出回路２５０は、制御部２１０の制御により、画像メモリ２２０に画像データが蓄積されているか否かを検出する（ステップＳＡ−２）。
【００３４】
ステップＳＡ−２で、画像メモリ２２０に画像データが蓄積されていることが検出された場合（ステップＳＡ−３：Ｙｅｓ）、画像データ検出回路２５０は、制御部２１０に電力供給をする。これにより、制御部２１０の入力セル２１０ａでは、Ｈｉｇｈの値が入力される（ステップＳＡ−４）。
【００３５】
ついで、ステップＳＡ−３で、画像データ検出回路２５０から電力供給を受けると、制御部２１０は、出力セル２１０ｂで、Ｈｉｇｈの値を出力し（ステップＳＡ−５）、切り替えスイッチ２７０をＯＮにする（ステップＳＡ−６）。
【００３６】
ついで、画像データ検出回路２５０は、制御部２１０の制御により、ＰＳＵ３４０による画像形成装置１００全体への電力供給が開始されるまでの間、画像メモリ２２０に蓄積されている画像データの保持状態を検出する（ステップＳＡ−７）。
【００３７】
ステップＳＡ−７で、画像メモリ２２０の画像データが消去されたことが検出された場合（ステップＳＡ−８：Ｙｅｓ）、画像データ検出回路２５０は、制御部２１０への電力供給を遮断する。これにより、制御部２１０の入力セル２１０ａには、Ｌｏｗの値が入力される（ステップＳＡ−９）。
【００３８】
ついで、ステップＳＡ−９で、入力セル２１０ａにＬｏｗの値が入力されると、制御部２１０は、充放電回数テーブル３２２の画像データ消去フラグエリア３２２ｄのフラグをＯＮにし（ステップＳＡ−１０）、出力セル２１０ｂの値をＬｏｗにする（ステップＳＡ−１１）。
【００３９】
一方、ステップＳＡ−２で、画像メモリ２２０に画像データが蓄積されていないことが検出された場合（ステップＳＡ−３：Ｎｏ）、画像データ検出回路２５０は、制御部２１０に電力供給を遮断する。これにより、制御部２１０の入力セル２１０ａには、「Ｌｏｗ」の値が入力される（ステップＳＡ−１２）。ついで、制御部２１０は、切り替えスイッチ２７０を継続してＯＦＦにしておくために、出力セル２１０ｂの値をＬｏｗにし（ステップＳＡ−１３）、処理手順は、ステップＳＡ−１４へ移行される。
【００４０】
また、ステップＳＡ−７で、画像メモリ２２０に蓄積されている画像データの消去が検出されなかった場合（ステップＳＡ−８：Ｎｏ）、処理手順は、ステップＳＡ−１４へ移行される。
【００４１】
電力スイッチ３５０がＯＮにされることにより、ＰＳＵ３４０による画像形成装置１００全体への電力供給が再開され（ステップＳＡ−１４）、制御部２１０の出力セル２１０ｂの値がＬｏｗである場合（ステップＳＡ−１５：Ｙｅｓ）、制御部２１０は、放電レベルテーブル３２２の画像データ消去フラグエリア３２２ｄのフラグがＯＮであるか否かを確認する（ステップＳＡ−１６）。
【００４２】
ステップＳＡ−１６でフラグがＯＮであることを確認した場合（ステップＳＡ−１７：Ｙｅｓ）、消去時のカウント数格納エリア３２２ｂを１カウントアップする（ステップＳＡ−１８）。
【００４３】
一方、ステップＳＡ−１６でフラグがＯＮでないことを確認した場合（ステップＳＡ−１７：Ｎｏ）、画像メモリ２２０に画像データが蓄積されていなかったことになり、二次電池２３０は放電しなかったことになるので、処理手順は終了する。
【００４４】
また、ＰＳＵ３４０による画像形成装置１００全体への電力供給が再開された時に、制御部２１０の出力セル２１０ｂの値がＨｉｇｈである場合（ステップＳＡ−１５：Ｎｏ）、制御部２１０は、未消去時のカウント数格納エリア３２２ａを１カウントアップし（ステップＳＡ−１９）、処理手順はステップＳＡ−２０へ移行される。
【００４５】
制御部２１０は、画像データ消去フラグエリア３２２ｄをクリアし、未消去時のカウント数格納エリア３２２ａのカウント数および消去時のカウント数格納エリア３２２ｂのカウント数に基づいた充放電回数の合計数を、充放電回数格納エリア３２２ｃに記録する（ステップＳＡ−２０）。具体的には、未消去時のカウント数格納エリア３２２ａのカウント数と、消去時のカウント数格納エリア３２２ｂのカウント数にｎ倍（ｎ＞１）した値と、を足した数を充放電回数の合計数として充放電回数格納エリア３２２ｃに記録する。
【００４６】
ついで、ステップＳＡ−２０で充放電回数格納エリア３２２ｃに記録した充放電回数の合計数と、ＲＡＭ３２０に設定されている充放電回数の閾値と、を対比させ、充放電回数格納エリア３２２ｃに記録されている充放電回数の合計数が閾値に達しているか否かを判定する（ステップＳＡ−２１）。
【００４７】
ステップＳＡ−２１で閾値に達していると判定した場合（ステップＳＡ−２２：Ｙｅｓ）、制御部２１０は、出力部３３０へ二次電池２３０の交換を要する旨を通知する（ステップＳＡ−２３）。そして、出力部３３０は、二次電池２３０の交換を要する旨の通知を受け取ると、受け取った当該通知をその画面上に表示するので、利用者は、二次電池の寿命の到来を把握することができる。
【００４８】
一方、ステップＳＡ−２１で閾値に達していないと判定した場合（ステップＳＡ−２２：Ｎｏ）、処理手順は、ステップＳＡ−１に移行される。
【００４９】
以上説明したように、第１の実施の形態の画像形成装置１００は、ＰＳＵ３４０による画像形成装置１００全体への電力供給が遮断され、画像メモリ２２０に画像データが蓄積されていると、二次電池２３０から画像メモリ２２０へ電力を供給する。そして、ＰＳＵ３４０による電力供給が再開されるまでの間、画像メモリ２２０に蓄積されている画像データの保持状態を画像データ検出回路２５０で検出し、画像データが保持された場合と消去された場合とに分けてカウントし、画像データが保持された場合のカウント数、および画像データが消去された場合のカウント数に基づいた充放電回数の合計数が閾値に達している場合には、二次電池２３０の交換メッセージを通知する。
【００５０】
従って、第１の実施の形態の画像形成装置１００によれば、二次電池２３０による画像メモリ２２０への電力供給時に、画像メモリ２２０に蓄積されている画像データの保持状態を画像データ検出部２５０で検出し、画像データの消去を検出すると、一次電池２６０から電力供給を受けている制御部２１０の出力セルはＬＯＷの値を出力することで切り替えスイッチ２７０をＯＦＦにし、二次電池２３０から画像メモリ２２０への電力供給を停止させ、制御部２１０の制御により、充放電回数テーブル３２２の画像データ消去フラグエリア３２２ｄにフラグを立てる。そして、ＰＳＵ３４０による電力供給が再開されると、制御部の出力セルの値がＨｉｇｈである場合は、未消去時のカウント数格納エリア３２２ａをカウントアップし、制御部２１０の出力セルの値がＬＯＷである場合であって、フラグが立てられているときは、消去時のカウント数格納エリア３２２ｂをカウントアップする。そして、未消去時のカウント数格納エリア３２２ａのカウント数と、消去時のカウント数格納エリア３２２ｂのカウント数をｎ倍（ｎ＞１）した値と、を足した値を充放電回数の合計数として充放電回数格納エリア３２２ｃに記録し、当該記録された充放電回数の合計数が閾値に達している場合には、二次電池２３０の交換メッセージを出力部３３０へ通知するので、二次電池２３０の正確な寿命を把握することができる。
【００５１】
ＲＯＭ３１０には二次電池２３０の種類に応じた複数の充放電回数の閾値が記録されており、制御部２１０は、当該複数の充放電回数の閾値のうち、画像メモリ２２０に電力供給をしている二次電池２３０に対応する充放電回数の閾値をＲＡＭ３２０に設定することができるので、二次電池２３０のより正確な寿命を把握することができる。
【００５２】
また、制御部２１０は、充放電回数格納エリア３２２ｃに記録された充放電回数の合計数が閾値に達した場合に、二次電池２３０の交換を要する旨の通知を出力部３３０へ送り、出力部３３０は、受け取った当該通知をその画面上に表示するので、利用者は、二次電池の寿命を把握することができる。
【００５３】
（第２の実施の形態）
次に、第２の実施の形態にかかる画像形成装置１００について説明する。なお、第２の実施の形態の説明においては、上述した第１の実施の形態の画像形成装置１００の説明と重複する説明を省略する場合がある。なお、第２の実施の形態の特徴部分は、第１の実施の形態では、画像データ検出回路２５０で、二次電池２３０による画像メモリ２２０への電力供給がされている間の画像データの保持状態を検出していたが、当該保持状態を電圧検出回路２８０で検出する点にある。
【００５４】
図４は、第２の実施の形態の画像形成装置１００の構成を示す図である。第２の実施の形態の画像形成装置１００は、同図に示すように、二次電池２３０の電圧レベルを検出するための電圧検出回路２８０と、二次電池２３０による画像データ検出回路２５０への電力供給の切り替えをするための切り替えスイッチ２９０と、をさらに備えて構成される。
【００５５】
電圧検出回路２８０は、二次電池２３０の電圧レベルを検出するためのものであり、同図に示すように、二次電池２３０に接続されている。また、電圧検出回路２８０は、電圧スレッシュを有し、二次電池２３０の電圧レベルが、このスレッシュレベル以下になると、切り替えスイッチ２９０をＯＦＦにする。
【００５６】
切り替えスイッチ２９０は、二次電池２３０の電圧レベルがスレッシュレベル以下になったことを電圧検出回路２８０で検出した場合に、二次電池２３０から画像データ検出回路２５０への電力供給をＯＦＦに切り替えるためのものであり、同図に示すように、二次電池２３０と画像データ検出回路２５０の間に配設されている。
【００５７】
以上の構成において、第２の実施の画像形成装置１００で行われる二次電池２３０の放電レベルの検出処理について図５を参照して説明する。図５は、第２の実施の形態の画像形成装置１００で行われる二次電池２３０の放電レベルの検出処理の手順を示すフローチャートである。なお、ここでは、第１の実施の形態の図３で説明した放電レベルの検出処理の流れと異なる部分について説明する。
【００５８】
第１の実施の形態では、ステップＳＡ−６で、切り替えスイッチ２７０がＯＮにされると、画像データ検出回路２５０が、制御部２１０の制御により、ＰＳＵ３４０による画像形成装置１００全体への電力供給が開始されるまでの間、画像メモリ２２０に蓄積されている画像データの保持状態を検出した（ステップＳＡ−７）。
【００５９】
これに対し、第２の実施の形態では、ステップＳＡ−６で切り替えスイッチ２７０がＯＮにされると、電圧検出回路２８０は、二次電池２３０の電圧レベルを検出する（ステップＳＡ−２４）。二次電池２３０の電圧レベルを検出するのは、二次電池２３０の電圧レベルが低下していくと、画像メモリ２２０への十分な電力供給ができなくなり、画像メモリ２２０に蓄積されている画像データが消去されると考えられるからである。
【００６０】
ついで、ステップＳＡ−２４で検出した二次電池２３０の電圧レベルが、ＰＳＵ３４０による画像形成装置１００全体への電力供給が開始されるまでの間、電圧スレッシュ以下になった場合（ステップＳＡ−２５：Ｙｅｓ）、電圧検出回路２８０は、切り替えスイッチ２９０をＯＦＦに切り替える（ステプＳＡ−２６）。これにより、二次電池２３０による画像データ検出回路２５０への電力供給が遮断され、制御部２１０の入力セルの値はＬｏｗになり、二次電池２３０から画像メモリ２２０への電力供給が遮断されることになる。
【００６１】
一方、ステップＳＡ−２４で検出した二次電池２３０の電圧レベルが、ＰＳＵ３４０による画像形成装置１００全体への電力供給が開始されるまでの間、電圧スレッシュ以下にならなかった場合（ステップＳＡ−２５：Ｎｏ）、処理手順は、ステップＳＡ−１４に移行される。
【００６２】
以上説明したように、第２の実施の形態の画像形成装置１００は、ＰＳＵ３４０による画像形成装置１００全体への電力供給が遮断され、画像メモリ２２０に画像データが蓄積されていると、二次電池２３０から画像メモリ２２０へ電力を供給する。そして、ＰＳＵ３４０による電力供給が再開されるまでの間、二次電池２３０の電圧レベルを電圧検出回路２８０で検出し、二次電池２３０の電圧レベルが電圧スレッシュ以下になった場合と、電圧スレッシュ以下にならなかった場合とに分けてカウントし、電圧スレッシュレベル以下になった場合のカウント数、および電圧スレッシュレベル以下にならなかった場合のカウント数に基づいた充放電回数の合計数が閾値に達している場合には、二次電池２３０の交換メッセージを通知する。
【００６３】
従って、第２の実施の形態の画像形成装置１００によれば、二次電池２３０による画像メモリ２２０への電力供給時に、二次電池２３０の電圧レベルを電圧検出回路２８０で検出し、検出した二次電池２３０の電圧レベルが電圧スレッシュ以下になると、切り替えスイッチ２９０を電圧検出回路２８０でＯＦＦにし、一次電池２６０から電力供給を受けている制御部２１０の出力セルはＬＯＷの値を出力することで切り替えスイッチ２７０をＯＦＦにし、制御部２１０の制御により、充放電回数テーブル３２２の画像データ消去フラグエリア３２２ｄにフラグを立てる。そして、ＰＳＵ３４０による電力供給が再開されると、制御部の出力セルの値がＨｉｇｈである場合は、未消去時のカウント数格納エリア３２２ａをカウントアップし、制御部２１０の出力セルの値がＬＯＷである場合であって、フラグが立てられているときは、消去時のカウント数格納エリア３２２ｂをカウントアップする。そして、未消去時のカウント数格納エリア３２２ａのカウント数と、消去時のカウント数格納エリア３２２ｂのカウント数をｎ倍（ｎ＞１）した値と、を足した値を充放電回数の合計数として充放電回数格納エリア３２２ｃに記録し、当該記録された充放電回数の合計数が閾値に達している場合には、二次電池２３０の交換メッセージを出力部３３０へ通知するので、二次電池２３０の正確な寿命を把握することができる。
【図面の簡単な説明】
【００６４】
【図１】第１の実施の形態の画像形成装置１００の構成を示す図である。
【図２】充放電回数テーブル３２２の一例を示す図である。
【図３】第１の実施の形態の画像形成装置１００で行われる二次電池２３０の充放電レベルの検出処理の手順を示すフローチャートである。
【図４】第２の実施の形態の画像形成装置１００の構成を示す図である。
【図５】第２の実施の形態の画像形成装置１００で行われる二次電池２３０の充放電レベルの検出処理の手順を示すフローチャートである。
【符号の説明】
【００６５】
１００  画像形成装置
２１０  制御部
２２０  画像メモリ
２３０  二次電池
２４０  充電回路
２５０  画像データ検出回路
２６０  一次電池
２７０，２９０  切り替えスイッチ
２８０  電圧検出回路
３１０  ＲＯＭ
３２０  ＲＡＭ
３３０  出力部
３４０  ＰＳＵ
３５０  電力スイッチ
【図１】
2007320259.tif 000003
【図２】
2007320259.tif 000004
【図３】
2007320259.tif 000005
【図４】
2007320259.tif 000006
【図５】
2007320259.tif 000007